(57)【要約】【課題】空気調和機用室内機等の空気熱交換器における伝熱フィン部分で生じる霧吹きを防止する。【解決手段】伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の前縁部を延設し流入気流の整流を図るとともに、同延設部１２ｃ，１２ｃ・・・、１２ｄ，１２ｄ・・・と元のフィンとの間に断熱部２１，２１・・・を設けて温湿度の不均一さを解消し、霧吹きを生ぜしめないようにした。【選択図】        図２
2008215758.tif 000002
【特許請求の範囲】
【請求項１】
伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の前縁部を延設し、同延設部１２ｃ，１２ｃ・・・と元のフィンとの間に断熱部２１，２１・・・を設けたことを特徴とする熱交換器。
【請求項２】
伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の後縁部を延設し、同延設部１２ｄ，１２ｄ・・・と元のフィンとの間に断熱部２１，２１・・・を設けたことを特徴とする熱交換器。
【請求項３】
伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の前縁部および後縁部をそれぞれ延設し、同延設部１２ｃ，１２ｃ・・・、１２ｄ，１２ｄ・・・と元のフィンとの間に断熱部２１，２１・・・、２１，２１・・・を設けたことを特徴とする熱交換器。
【請求項４】
断熱部２１，２１・・・が当該フィン長手方向に延びる切り込みであることを特徴とする請求項１，２又は３記載の熱交換器。
【請求項５】
断熱部２１，２１・・・が当該フィン長手方向に延びるスリットであることを特徴とする請求項１，２又は３記載の熱交換器。
【発明の詳細な説明】
【技術分野】
【０００１】
本願発明は、空気調和機用室内機等の熱交換器の構造に関するものである。
【背景技術】
【０００２】
例えば空気調和機用室内機の熱交換器としては、一般に図１０に示すような、前後２列の伝熱管１２ａ，１２ａ・・・、１２ａ，１２ａ・・・と、該伝熱管１２ａ，１２ａ・・・、１２ａ，１２ａ・・・に対してクロスする状態で伝熱管長手方向に多数枚並設された伝熱フィン１２ｂ，１２ｂ・・・、１２ｂ，１２ｂ・・・とからなるクロスフィンコイル型の空気熱交換器が採用されており、冷房運転時に熱交換器（蒸発器）表面で生じた凝縮水は、重力により当該熱交換器の伝熱フィン１２ｂ，１２ｂ・・・表面に沿って流下し、その下方に設けられている図示しないドレンパン部分に集められて室外に排出されるようになっている。
【０００３】
今、このような熱交換器を備えて構成された従来の空気調和機用室内機の幾つかの形態を図６〜図１０に示す。
【０００４】
（１）  第１の形態（ラウンドフロータイプ）
先ず図６および図７は、天井埋込式ラウンドフロータイプの空気調和機用室内機の構成を示している。
【０００５】
図中、先ず符号２は、当該天井埋込式空気調和機１のカセット型の本体ケーシングである。該本体ケーシング２は、その吸気・吹出パネル（下面パネル部）４が天井３と略同一平面状に連続するようにして、天井３内に埋設されている。
【０００６】
そして、上記本体ケーシング２の上記吸気・吹出パネル４には、中央部に方形の空気吸込口５が設けられ、さらに、その内側に送風機として遠心ファンの一例であるターボファン１１と該ターボファン１１用のベルマウス６が連設されている。
【０００７】
また、上記本体ケーシング２の吸気・吹出パネル４の上記空気吸込口５の外周部４方には、所定の幅の空気吹出口９，９・・が設けられている。
【０００８】
そして、上記本体ケーシング２内には、上記空気吸込口５から上記ベルマウス６を経て上記空気吹出口９，９・・方向に到る全周方向の通風路１０が形成されており、該通風路１０の上記ベルマウス６の背後（図示上部）中央に位置して、その空気吸込側（後述する側板１５側）が上記ベルマウス６に対応するターボファン１１がファンモータ１３およびファンモータ１３の回転駆動軸１３ａを介して上記本体ケーシング２の天板２ａ部分に吊設されている。
【０００９】
また、同通風路１０には、例えば図７に示すように、当該ターボファン１１の全周を囲む状態で方形環状の空気熱交換器１２が設けられている。
【００１０】
上記空気熱交換器１２は、その下端をドレンパン８内に固定することによって支持されている。
【００１１】
上記空気熱交換器１２の熱交部は、例えば図１０に示されるように、空気流Ｆの上流から下流方向に前後２列で、それぞれ交互に位置をズラせて配設された伝熱管１２ａ，１２ａ・・・、１２ａ，１２ａ・・・と、該伝熱管１２ａ，１２ａ・・・、１２ａ，１２ａ・・・の各々に対して所定のピッチを保って長手方向に多数枚嵌装並設された伝熱フィン１２ｂ，１２ｂ・・・と、該伝熱フィン１２ｂ，１２ｂ・・・並設方向の両端側に設けられた図示しない管板とから構成されている。
【００１２】
一方、上記ターボファン１１は、上記ファンモータ１３の回転駆動軸１３ａに対してボス部１４ａを介して固定された円形の主板１４とターボファン羽根車内遠心方向への空気吸込口を形成する他端側筒状の側板１５との間に多数枚の羽根（動翼羽根）１６，１６・・・を所定の翼角、所定の翼間隔で周方向に並設して構成されている。他方、その側板１５の浅筒状の空気吸込側端部内側には、上記ベルマウス６の下流側筒状の空気流出口側端部が所定の隙間を保って相対回転可能に所定寸法遊嵌されている。
【００１３】
上記ベルマウス６は、上記ターボファン羽根車の空気吸込口を形成している側板１５の空気吸込側端部に対して上記本体ケーシング２側空気吸込口５からの空気を羽根車内遠心方向にスムーズに流入させるために、図示のように吸気・吹出パネル４への取付縁部から内方に延び、その空気流上流側から空気流下流側にかけて次第に開口径が縮小した所定曲率半径の空気流入口部と空気流出口部とからなる気流ガイド面を有して構成されている。
【００１４】
そして、その形状により上記ターボファン羽根車の側板１５に対応して、上記ターボファン羽根車の吸込側の空気を当該吸込側において吹出側遠心方向にスムーズに吸込ガイドすることによって送風時に生じる空力騒音を低減するようにしている（特許文献１を参照）。
【００１５】
（２）  第２の形態（壁掛け形タイプ）
次に、図８は、図１０のような空気熱交換器を採用して構成した壁掛け形空気調和機用室内機の構成を示している。
【００１６】
すなわち、この第２の形態のものでは、上方側から下方側にλ字状に折り曲げられた所謂ラムダ形の空気熱交換器１２とクロスフローファン１１とを用いて上面側および前面側吸込み、斜め下方吹きの壁掛け型空気調和機用室内機１を構成しており、符号２は、当該壁掛け型空気調和機用室内機１のカセット型の本体ケーシングである。該本体ケーシング２は、その背面側パネル部分が当該部屋の壁面に当接するようにして、同壁面に設置されるようになっている。
【００１７】
そして、上記本体ケーシング２の前面側から上面側には、空気吸込口２ａ〜２ｃが設けられ、その内側にはラムダ型の空気熱交換器１２とクロスフローファン１１が設けられている。ラムダ型の空気熱交換器１２は、前部側上下２組の熱交部１２１，１２２と後部側１組の熱交部１２３とからなり、それらの内側下方にクロスフローファン１１を設けて設置されている。クロスフローファン１１は、スクロール構造の温調用送風通路１０を介して上記本体ケーシング２の前面側底部の空気吹出口９から斜め下方に温調空気を吹出すようになっている。
【００１８】
上記空気熱交換器１２は、その前部側下部熱交部１２２および後部側熱交部１２３各々の下端を各々ドレンパン８ａ，８ｂ内に固定することによって支持されている。
【００１９】
上記空気熱交換器１２の各熱交部１２１，１２２，１２３は、例えば図１０に示されるように、空気流Ｆの上流から下流方向に前後２列で、それぞれ交互に位置をズラせて配設された伝熱管１２ａ，１２ａ・・・、１２ａ，１２ａ・・・と、該伝熱管１２ａ，１２ａ・・・、１２ａ，１２ａ・・・の各々に対して所定のピッチを保って長手方向に多数枚嵌装並設された伝熱フィン１２ｂ，１２ｂ・・・と、該伝熱フィン１２ｂ，１２ｂ・・・の並設方向の両端側に設けられた図示しない管板とから構成されている。
【００２０】
そして、該構成の場合、例えば冷房又は暖房運転時において、送風手段である上記クロスフローファン１１が駆動されると、上記空気吸込口２ａ〜２ｃから室内の空気が吸込まれ、上記全体としてλ形状で熱交面積が大きく、しかも空気吸込領域が広い上述のような空気熱交換器１２を介して低圧損で均一かつ効果的に熱交換された温調空気（冷気又は暖気）が、前面部下方の空気吹出口９から吹き出され、同温調空気が下方に降下して行くことによってユーザーに対する快適な冷房又は暖房空調環境が実現される（特許文献２を参照）。
【００２１】
（３）  第３の形態（シングルフロータイプ）
さらに図９は、単一の送風通路１０、単一のクロスフローファン１１、単一の空気熱交換器１２、単一の空気吹出口９を備えたシングルフロー型の天井埋込式空気調和機用室内機の構成が示されている。
【００２２】
図９中、先ず符号２は、当該天井埋込式空気調和機内室内機１のカセット型の本体ケーシングである。該本体ケーシング２は、その吸気・吹出パネル（下面パネル部）６が天井３と略同一平面状に連続するようにして、天井３内に埋設されている。
【００２３】
そして、上記本体ケーシング２の上記吸気・吹出パネル６には、その左右方向一側部に長方形状の空気吸込口５が前後方向に延びて設けられ、さらに、その内側上方に熱交換器１２が前後方向に延び、かつ、その左右幅方向の全体が一側部側第３，第２のドレンパン１７ｃ，１７ｂから他側部側第１のドレンパン１７ａ方向に下降傾斜する状態で配設されている（大傾斜部１２ａ、小傾斜部１２ｂ）。
【００２４】
また、上記本体ケーシング２の吸気・吹出パネル６における上記上記空気吸込口５の他方側（図示左側）位置には、所定の幅の空気吹出口９が前後方向に延びて設けられている。
【００２５】
そして、それとともに上記本体ケーシング２内には上記空気吸込口５から上記空気吹出口９方向に到るスクロール構造の単一の送風通路１０が形成されており、該送風通路１０の上記熱交換器１２の下流側背後（図示上部左側方）に位置してクロスフローファン１１が設けられている。
【００２６】
そして、同クロスフローファン１１が回転すると、図示の矢印のように、空気吸込口５から吸込まれた空気が空気熱交換器１２を通って冷却（又は加温）された後にクロスフローファン１１を貫流して空気吹出口９から吹き出される。
【００２７】
そして、この形態の場合にも、上記空気熱交換器１２の各熱交部１２ａ，１２ｂは、例えば図１０のように構成されている（熱交部の傾斜について、特許文献３を参照）。
【００２８】
【特許文献１】特開２００１−６５４９３号公報（明細書１−１０頁、図１−１０）
【特許文献２】特開２００４−３５３９１４号公報（明細書１−１３頁、図１−４）
【特許文献３】特開２００５−３３７５７１号公報（明細書１−１６頁、図１−３）
【発明の開示】
【発明が解決しようとする課題】
【００２９】
ところで、以上のような各空気調和機用室内機に適用された上記空気熱交換器１２では、例えば同熱交換器１２が蒸発器となる冷房運転時の場合、上記伝熱フィン１２ｂ，１２ｂ・・・の伝熱面上で空気中の水分が凝縮し、同伝熱面上に上述のように結露が生じる。
【００３０】
さらに、それに加えて、同空気調和機用室内機の冷房運転時、例えば上記第１の形態などでは、図７中に矢印で示すように、熱交換器１２への空気の流入が伝熱フィン（熱交フィン）１２ｂ，１２ｂ・・・に平行ではなく、所定値以上の流入角度が存在する。そのため、例えば図１１に示すように、伝熱フィン１２ｂ，１２ｂ・・・間において、伝熱フィン１２ｂ，１２ｂ・・・から剥離する流れと伝熱フィン１２ｂ，１２ｂ・・・に衝突する流れとの２つの流れが生じる。この場合、前者は冷却が不良となるのに対し、後者では冷却が良好となる。そして、伝熱フィン１２ｂ，１２ｂ・・・間でこの両者が混合されると、高温高湿な空気と低温で飽和に近い空気とが混合されることになり、霧吹きが発生しやすくなる。
【００３１】
また、上記第２，第３の形態のように、熱交換器１２からの空気の流出が伝熱フィン１２ｂ，１２ｂ・・・に平行ではなく、所定値以上の流出角度が存在したり、熱交換器１２からの流出直後に流れの乱れがある場合（図８、図９中の矢印部を参照）、例えば図１２に示すように、伝熱フィン１２ｂ，１２ｂ・・・面近傍の冷却された空気と、伝熱フィン１２ｂ，１２ｂ・・・間中央部の冷却不十分な空気とが混合されることになり、同様に霧吹きが発生しやすくなる。
【００３２】
そこで、本願発明は、このような霧吹きの問題を解決するために、上述のような熱交換器において、その伝熱フィンの前縁部又は後縁部、さらには前後両縁部を所定長さ延設するとともに、該延設部と元のフィンとの間に断熱部を設けることによって、延設部での整流作用により空気流入角の解消を図るとともに、断熱部で温度差を解消し、それぞれ有効に霧吹きの発生を防止し得るようにした熱交換器を提供することを目的とするものである。
【課題を解決するための手段】
【００３３】
本願発明は、上記の目的を達成するために、次のような課題解決手段を備えて構成されている。
【００３４】
（１）  請求項１の発明
この発明の熱交換器は、伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の前縁部を延設し、同延設部１２ｃ，１２ｃ・・・と元のフィンとの間に断熱部２１，２１・・・を設けたことを特徴としている。
【００３５】
このような構成によれば、上記前縁側延設部１２ｃ，１２ｃ・・・での整流作用によって空気流入角を解消することができ、さらに断熱部２１，２１・・・で温度差を解消することができ、それによって、霧吹きの発生を防止することが可能となる。
【００３６】
（２）  請求項２の発明
この発明の熱交換器は、伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の後縁部を延設し、同延設部１２ｄ，１２ｄ・・・と元のフィンとの間に断熱部２１，２１・・・を設けたことを特徴としている。
【００３７】
このような構成によれば、上記後縁側延設部１２ｄ，１２ｄ・・・での整流作用によって空気流入角を解消することができ、さらに断熱部２１，２１・・・で温度差を解消することができ、それによって、霧吹きの発生を防止することが可能となる。
【００３８】
（３）  請求項３の発明
この発明の熱交換器は、伝熱管１２ａ，１２ａ・・・、１２ａ，１２ａ・・・と、該伝熱管１２ａ，１２ａ・・・、１２ａ，１２ａ・・・に対してクロスする状態で多数枚並設された伝熱フィン１２ｂ，１２ｂ・・・とからなる熱交換器であって、上記伝熱フィン１２ｂ，１２ｂ・・・の前縁部および後縁部をそれぞれ延設し、同延設部１２ｃ，１２ｃ・・・、１２ｄ，１２ｄ・・・と元のフィンとの間に断熱部２１，２１・・・、２１，２１・・・を設けたことを特徴としている。
【００３９】
このような構成によれば、上記前縁側延設部１２ｃ，１２ｃ・・・および後縁側延設部１２ｄ，１２ｄ・・・での各整流作用によって、それぞれ空気の流入角を解消することができ、さらに各々の断熱部２１，２１・・・、２１，２１・・・で温度差を解消することができ、それによって、霧吹きの発生を防止することが可能となる。
【００４０】
（４）  請求項４の発明
この発明の熱交換器は、上記請求項１，２又は３の発明の構成において、断熱部２１，２１・・・が当該フィン長手方向に延びる切り込みであることを特徴としている。
【００４１】
このような切り込みによると、伝熱フィン１２ｂ，１２ｂ・・・表面の平面度や伝熱面積を変えることなく、つまりフィン面上の空気の流れを乱すことなく、また伝熱性能を低下させることなく、有効な整流および断熱作用を発揮させることができる。
【００４２】
（５）  請求項５の発明
この発明の熱交換器は、上記請求項１，２又は３の発明の構成において、断熱部２１，２１・・・が当該フィン長手方向に延びるスリットであることを特徴としている。
【００４３】
このようなスリットによると、フィン表面積の平面度や伝熱面積を大きく変えることなく、したがって空気の流れを乱すことなく、また伝熱性能を低下させることなく、有効な整流および断熱作用を発揮させることができる。
【発明の効果】
【００４４】
以上の結果、本願発明によると、霧吹き等が生じない空気調和機用の室内機に適した空気熱交換器を簡単かつ低コストに提供することができるようになる。
【発明を実施するための最良の形態】
【００４５】
（最良の実施の形態１）
図１および図２は、本願発明の最良の実施の形態１に係る空気調和機用室内機に適した空気熱交換器の構成および作用を示している。
【００４６】
すなわち、この空気熱交換器は、例えば空気流（矢印参照）の上流側から下流側方向に前後２列で、それぞれ交互に位置をズラせて千鳥状に配設された伝熱管１２ａ，１２ａ・・・、１２ａ，１２ａ・・・と、該伝熱管１２ａ，１２ａ・・・、１２ａ，１２ａ・・・の各々に対して所定のピッチを保って長手方向に多数枚嵌装並設された上下方向に長い伝熱フィン１２ｂ，１２ｂ・・・と、該伝熱フィン１２ｂ，１２ｂ・・・の並設方向両端側に設けられた図示しない管板とから構成されている。
【００４７】
そして、この実施の形態の場合、上記伝熱フィン１２ｂ，１２ｂ・・・の前縁部を本来の長さ（幅）よりも所定の長さｌだけ前方（上流側）に延設し、同延設部１２ｃ，１２ｃ・・・と元のフィン前縁との間に上下方向に延びる所定の長さの間欠的な切り込みよりなる断熱部２１，２１・・・を設けたことを特徴としている。
【００４８】
このような構成によると、例えば図２に詳細に示されるように、熱交換器への空気の流入が伝熱フィン１２ｂ，１２ｂ・・・に平行ではなく、所定の流入角度（傾斜角）が存在するような場合でも、延設部１２ｃ，１２ｃ・・・で整流されて流入角度が解消される。また、同切り込みよりなる断熱部２１，２１・・・の存在により延設部１２ｃ，１２ｃ・・・は、伝熱管１２ａ，１２ａ・・・から断熱されているため、冷却の良・不良が生じず、霧吹きが発生しにくくなる。
【００４９】
また、同構成では、上記断熱部２１，２１・・・が当該伝熱フィン１２ｂ，１２ｂ・・・の長手方向に延びる切り込みにより形成されている。
【００５０】
このような切り込みによると、伝熱フィン１２ｂ，１２ｂ・・・表面の平面度や伝熱面積を変えることなく、したがって空気の流れを乱すことなく、また伝熱性能を低下させることなく、有効な整流および断熱作用を発揮させることができる。
【００５１】
これらの結果、この実施の形態によると、霧吹き等が生じない空気調和機用の室内機に適した熱交換器を簡単かつ低コストに提供することができるようになる。
【００５２】
（最良の実施の形態２）
図３および図４は、本願発明の最良の実施の形態２に係る空気調和機用室内機に適した空気熱交換器の構成および作用を示している。
【００５３】
すなわち、この実施の形態の空気熱交換器は、例えば空気流（矢印参照）の上流側から下流側方向に前後２列で、それぞれ交互に位置をズラせて千鳥状に配設された伝熱管１２ａ，１２ａ・・・、１２ａ，１２ａ・・・と、該伝熱管１２ａ，１２ａ・・・、１２ａ，１２ａ・・・の各々に対して所定のピッチを保って長手方向に多数枚嵌装並設された上下方向に長い伝熱フィン１２ｂ，１２ｂ・・・と、該伝熱フィン１２ｂ，１２ｂ・・・の並設方向両端側に設けられた図示しない管板とから構成されている。
【００５４】
そして、この実施の形態の場合、上記伝熱フィン１２ｂ，１２ｂ・・・の後縁部を本来の長さ（幅）よりも所定の長さｌだけ後方（下流側）に延設し、同延設部１２ｄ，１２ｄ・・・と元の伝熱フィン１２ｂ，１２ｂ・・・後縁との間に上下方向に延びる所定の長さの間欠的な切り込みよりなる断熱部２１，２１・・・を設けたことを特徴としている。
【００５５】
このような構成によると、例えば図４に詳細に示すように、伝熱フィン１２ｂ，１２ｂ・・・の伝熱面近傍の冷却された空気と、伝熱フィン１２ｂ，１２ｂ・・・間の中央部の冷却不十分な空気との、温度・湿度の不均一さが、実質的に素材として分断された切り込みよりなる断熱部２１，２１・・・により伝熱管１２ａ，１２ａ・・・から断熱された延設部１２ｄ，１２ｄ・・・の存在によって確実に解消される。
【００５６】
また、同構成では、断熱部２１，２１・・・が当該伝熱フィン１２ｂ，１２ｂ・・・の長手方向に延びる切り込みにより形成されている。
【００５７】
このような切り込みによると、伝熱フィン１２ｂ，１２ｂ・・・自体の表面の平面度や伝熱面積を変えることなく、また空気の流れを乱すことなく、有効な整流および断熱作用を発揮させることができる。
【００５８】
これらの結果、この実施の形態によると、霧吹き等が生じない空気調和機用の室内機に適した熱交換器を簡単かつ低コストに提供することができるようになる。
【００５９】
（最良の実施の形態３）
図５は、本願発明の最良の実施の形態３に係る空気調和機用室内機に適した空気熱交換器の構成および作用を示している。
【００６０】
すなわち、この空気熱交換器は、例えば空気流（矢印参照）の上流側から下流側方向に前後２列で、それぞれ交互に位置をズラせて千鳥状に配設された伝熱管１２ａ，１２ａ・・・、１２ａ，１２ａ・・・と、該伝熱管１２ａ，１２ａ・・・、１２ａ，１２ａ・・・の各々に対して所定のピッチを保って長手方向に多数枚嵌装並設された上下方向に長い伝熱フィン１２ｂ，１２ｂ・・・と、該伝熱フィン１２ｂ，１２ｂ・・・の並設方向両端側に設けられた図示しない管板とから構成されている。
【００６１】
そして、この実施の形態の場合、上記伝熱フィン１２ｂ，１２ｂ・・・の前縁部と後縁部の両方を本来の長さ（幅）よりも所定の長さｌだけ各々前方（上流側）および後方（下流側）の両方にそれぞれ延設し、同延設部１２ｃ，１２ｃ・・・、１２ｄ，１２ｄ・・・と元のフィン前縁、後縁との間に上下方向に延びる上に各実施の形態の場合と同様の所定の長さの間欠的な切り込みよりなる断熱部２１，２１・・・、２１，２１・・・を設けたことを特徴としている。
【００６２】
このような構成によると、上述した最良の実施の形態１と最良の実施の形態２の両方の作用効果を併せ持たせることができ、より霧吹きが発生しにくくなる。
【００６３】
（その他の形態）
なお、上述の断熱部２１，２１・・・の構成としては、以上に述べた切り込みのほかに、例えば幅の狭いスリットに変更してもかまわない。
【図面の簡単な説明】
【００６４】
【図１】本願発明の最良の実施の形態１に係る空気熱交換器の構成を示す一部切欠正面図である。
【図２】同空気熱交換器の要部の構成を拡大して、その作用を示す一部切欠断面図（水平断面図）である。
【図３】本願発明の最良の実施の形態２に係る空気熱交換器の構成を示す一部切欠正面図（水平断面図）である。
【図４】同空気熱交換器の要部の構成を拡大して、その作用を示す一部切欠断面図である。
【図５】本願発明の最良の実施の形態３に係る空気熱交換器の構成を示す一部切欠正面図である。
【図６】従来の第１の形態に係る空気調和機用室内機の構成を示す断面図である。
【図７】同第１の形態の空気調和機用室内機における熱交換器に対する空気の流入状態を示す図である。
【図８】従来の第２の形態に係る空気調和機用室内機の構成を示す断面図である。
【図９】従来の第３の形態に係る空気調和機用室内機の構成を示す断面図である。
【図１０】図６、図８、図９の各形態の空気調和機用室内機における熱交換器の構成を示す一部切欠正面図である。
【図１１】図１０の熱交換器の伝熱フィンに対して所定の流入角を有して空気が流入する場合の問題点を示す説明図である。
【図１２】図１０の熱交換器において、伝熱フィン間下流に流れの乱れがある場合の問題点を示す説明図である。
【符号の説明】
【００６５】
１は空気調和機用室内機、１２は熱交換器、１２ａ，１２ａ・・・は伝熱管、１２ｂ，１２ｂ・・・は伝熱フィン、１２ｃ，１２ｃ・・・、１２ｄ，１２ｄ・・・は延設部、２１，２１・・・は断熱部である。
【図１】
2008215758.tif 000003
【図２】
2008215758.tif 000004
【図３】
2008215758.tif 000005
【図４】
2008215758.tif 000006
【図５】
2008215758.tif 000007
【図６】
2008215758.tif 000008
【図７】
2008215758.tif 000009
【図８】
2008215758.tif 000010
【図９】
2008215758.tif 000011
【図１０】
2008215758.tif 000012
【図１１】
2008215758.tif 000013
【図１２】
2008215758.tif 000014